(57)【特許請求の範囲】
【請求項１】
液体の流路に接続されて当該液体を流通させ得る導入口及び導出口が形成され、その流通する液体を採取可能な採取口が突出形成された透析液取出手段と、
該透析液取出手段に形成され、前記採取口の外周を覆うとともに当該採取口の突端に対して突出形成された外周壁部と、
前記採取口に接続される接続部と前記外周壁部の内周面に嵌合する嵌合部とが形成されるとともに、当該接続部が接続された状態で前記採取口から液体を採取可能とされた接続手段と、
を具備し、前記接続手段の内周面に前記接続部が形成され、当該接続部を前記採取口の外周面に密着させて嵌合することで当該接続手段と採取口とを接続させる透析液取出装置であって、
前記外周壁部の内周面に形成され、前記接続手段の外周壁部に対する挿通過程であって、当該接続手段の先端が採取口の突端に達する前に、当該接続手段の採取口に対する相対位置及び姿勢を矯正する矯正部を具備したことを特徴とする透析液取出装置。
【請求項２】
前記採取口の突端と前記外周壁部の先端との間の寸法が、前記接続手段の先端と当該接続手段の嵌合部との間の寸法に対して同一又は大きく設定されたことを特徴とする請求項１記載の透析液取出装置。
【請求項３】
前記矯正部は、前記外周壁部の内周面に形成されたテーパ部から成ることを特徴とする請求項１又は請求項２記載の透析液取出装置。
【請求項４】
前記嵌合部は、前記接続手段の外周面と外周壁部の内周面との間をシールするシール部材から成ることを特徴とする請求項１〜３の何れか１つに記載の透析液取出装置。
【請求項５】
前記採取口に対して脱着可能とされて当該採取口を開閉し得る開閉手段を具備するとともに、当該採取口は、前記開閉手段が取り付けられた状態で、前記導入口から導入された液体を前記採取口の突端側に案内する案内路と、該案内路で案内された液体を前記導出口側へ排出させる排出路とを画成することを特徴とする請求項１〜４の何れか１つに記載の透析液取出装置。
【請求項６】
前記開閉手段は、当該外周壁部の外周面又は突端面との間でシールするシール手段を具備したことを特徴とする請求項５記載の透析液取出装置。
【請求項７】
請求項１〜６の何れか１つに記載の透析液取出装置を具備したことを特徴とする血液浄化装置。
【請求項８】
請求項１〜６の何れか１つに記載の透析液取出装置における前記接続手段が先端に接続されたことを特徴とする接続ライン。
【発明の詳細な説明】
【技術分野】
【０００１】
本発明は、液体の流路に接続され、その流通する液体を採取可能な採取口が突出形成された透析液取出手段を具備した透析液取出装置に関するものである。
【背景技術】
【０００２】
近時において、血液浄化装置としての透析装置では透析治療（特に、オンラインＨＤＦ又はオンラインＨＦ）時において、ダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、一端が透析液導入ラインの所定部位に形成された透析液取出ポート（採取口）に接続されるとともに、他端が血液回路（動脈側血液回路又は静脈側血液回路）に接続された補液ラインと、補液ラインに配設された補液ポンプとを具備した透析装置が開示されている。かかる透析装置により、プライミング、返血又は補液（緊急補液）を行う際、補液ポンプを駆動させることにより、透析液導入ラインの透析液を血液回路（動脈側血液回路又は静脈側血液回路）に供給し得るようになっている。
【０００３】
通常、かかる透析液取出ポートに対してキャップ（開閉手段）が脱着自在とされており、当該キャップを取り外して補液ライン等を接続させるとともに、補液ライン等を接続しない場合は、キャップを取り付けて透析液導入ラインを流れる透析液が外部に漏れ出ないようになっている。例えば、透析液導入ラインや透析液排出ライン等の透析液が流通する配管を洗浄及び消毒するには、採取口にキャップを取り付けた状態として当該配管にて洗浄水や消毒水を流通させることにより、洗浄水や消毒液が外部に漏れ出てしまうのを防止している。
【０００４】
一方、採取口に接続し得る補液ライン等の接続ラインの先端には、接続手段が形成されており、当該接続手段を採取口に接続することにより、透析液導入ラインを流れる透析液を採取し、その採取した透析液を接続ラインを介して所望の部位（例えば血液回路等）に供給し得るようになっている。また、シリンジ等から成る接続手段の先端を採取口に接続することにより、透析液導入ラインを流れる透析液を所定量採取することも可能とされている。
【先行技術文献】
【特許文献】
【０００５】
【特許文献１】特開２００４−３１３５２２号公報
【発明の概要】
【発明が解決しようとする課題】
【０００６】
しかしながら、上記従来の透析液取出装置においては、採取口に対する十分な洗浄及び消毒が行われたとしても、接続手段を採取口に接続する際、作業者が誤って、当該接続手段の採取口に対する接続部の近傍を、洗浄及び消毒が行われない非洗浄部位に接触させてしまう虞があった。そして、そのまま採取口に接続する場合、当該接続部に対する採取口の相対位置や姿勢がずれていると、非洗浄部位に接触した接続部の近傍が採取口に接触してしまい、当該採取口の清浄性が保たれない虞があった。
【０００７】
本発明は、このような事情に鑑みてなされたもので、採取口に対する接続手段の接続時、採取口の清浄性を確実に保持することができる透析液取出装置を提供することにある。
【課題を解決するための手段】
【０００８】
請求項１記載の発明は、液体の流路に接続されて当該液体を流通させ得る導入口及び導出口が形成され、その流通する液体を採取可能な採取口が突出形成された透析液取出手段と、該透析液取出手段に形成され、前記採取口の外周を覆うとともに当該採取口の突端に対して突出形成された外周壁部と、前記採取口に接続される接続部と前記外周壁部の内周面に嵌合する嵌合部とが形成されるとともに、当該接続部が接続された状態で前記採取口から液体を採取可能とされた接続手段とを具備し、前記接続手段の内周面に前記接続部が形成され、当該接続部を前記採取口の外周面に密着させて嵌合することで当該接続手段と採取口とを接続させる透析液取出装置であって、前記外周壁部の内周面に形成され、前記接続手段の外周壁部に対する挿通過程であって、当該接続手段の先端が採取口の突端に達する前に、当該接続手段の採取口に対する相対位置及び姿勢を矯正する矯正部を具備したことを特徴とする。
【０００９】
請求項２記載の発明は、請求項１記載の透析液取出装置において、前記採取口の突端と前記外周壁部の先端との間の寸法が、前記接続手段の先端と当該接続手段の嵌合部との間の寸法に対して同一又は大きく設定されたことを特徴とする。
【００１０】
請求項３記載の発明は、請求項１又は請求項２記載の透析液取出装置において、前記矯正部は、前記外周壁部の内周面に形成されたテーパ部から成ることを特徴とする。
【００１１】
請求項４記載の発明は、請求項１〜３の何れか１つに記載の透析液取出装置において、前記嵌合部は、前記接続手段の外周面と外周壁部の内周面との間をシールするシール部材から成ることを特徴とする。
【００１２】
請求項５記載の発明は、請求項１〜４の何れか１つに記載の透析液取出装置において、前記採取口に対して脱着可能とされて当該採取口を開閉し得る開閉手段を具備するとともに、当該採取口は、前記開閉手段が取り付けられた状態で、前記導入口から導入された液体を前記採取口の突端側に案内する案内路と、該案内路で案内された液体を前記導出口側へ排出させる排出路とを画成することを特徴とする。
【００１３】
請求項６記載の発明は、請求項５記載の透析液取出装置において、前記開閉手段は、当該外周壁部の外周面又は突端面との間でシールするシール手段を具備したことを特徴とする。
【００１４】
請求項７記載の発明は、請求項１〜６の何れか１つに記載の透析液取出装置を具備したことを特徴とする血液浄化装置である。
【００１５】
請求項８記載の発明は、請求項１〜６の何れか１つに記載の透析液取出装置における前記接続手段が先端に接続されたことを特徴とする接続ラインである。
【発明の効果】
【００１６】
請求項１の発明によれば、接続手段の外周壁部に対する挿通過程であって、当該接続手段の先端が採取口の突端に達する前に、当該接続手段の採取口に対する相対位置及び姿勢を矯正する矯正部が外周壁部の内周面に形成されたので、採取口に対する接続手段の接続時、採取口の清浄性を確実に保持することができる。
【００１７】
請求項２の発明によれば、採取口の突端と外周壁部の先端との間の寸法が、接続手段の先端と当該接続手段の嵌合部との間の寸法に対して同一又は大きく設定されたので、接続手段の先端が採取口の突端に達する前に、矯正部によって確実に当該接続手段の採取口に対する相対位置及び姿勢を矯正することができ、採取口に対する接続手段の接続時、採取口の清浄性をより確実に保持することができる。
【００１８】
請求項３の発明によれば、矯正部は、外周壁部の内周面に形成されたテーパ部から成るので、円滑かつ確実に、接続手段の先端が採取口の突端に達する前に、当該接続手段の採取口に対する相対位置及び姿勢を矯正することができる。
【００１９】
請求項４の発明によれば、嵌合部は、接続手段の外周面と外周壁部の内周面との間をシールするシール部材から成るので、接続部による採取口に対する接続が良好に行われていない場合であっても、シール部材により液体が外部に漏れてしまうのを防止することができる。
【００２０】
請求項５の発明によれば、採取口は、開閉手段が取り付けられた状態で、導入口から導入された液体を採取口の突端側に案内する案内路と、該案内路で案内された液体を導出口側へ排出させる排出路とを画成するので、案内路及び排出路を介して洗浄水又は消毒液を流通させることができ、採取口内部の洗浄及び消毒を確実に行わせることができる。さらに、採取口が液体を採取させる機能に加えて、案内路と排出路とを画成する機能を兼ね備えるため、別個の画成手段等を不要として構成を簡略化させることができる。
【００２１】
請求項６の発明によれば、開閉手段は、外周壁部の外周面又は突端面との間でシールするシール手段を具備したので、開閉手段を採取口に取り付けた状態で、案内路と排出路との画成をより確実に行わせることができるとともに、洗浄水又は消毒液の流通をより良好に行わせることができる。
【００２２】
請求項７の発明によれば、採取口に対する接続手段の接続時、採取口の清浄性を確実に保持することができる血液浄化装置を提供することができる。
【００２３】
請求項８の発明によれば、採取口に対する接続手段の接続時、採取口の清浄性を確実に保持することができる接続ラインを提供することができる。
【図面の簡単な説明】
【００２４】
【図１】本発明の透析液取出装置が適用される血液浄化装置を示す模式図
【図２】本発明の第１の実施形態に係る透析液取出装置（採取口に開閉手段を取り付けた状態）を示す断面模式図
【図３】同透析液取出装置におけるキャップ（開閉手段）を示す断面模式図
【図４】同透析液取出装置における透析液取出手段（開閉手段を取り外した状態）を示す断面模式図
【図５】同透析液取出装置の採取口に接続可能な接続手段を示す断面模式図
【図６】同透析液取出装置の採取口に接続手段を接続させる過程（接続手段の外周壁部に対する挿入時）を示す断面模式図
【図７】同透析液取出装置の採取口に接続手段を接続させる過程（接続手段の矯正前）を示す断面模式図
【図８】同透析液取出装置の採取口に接続手段を接続させる過程（接続手段の矯正後）を示す断面模式図
【図９】同透析液取出装置の採取口に接続手段を接続させる過程（接続手段の矯正後、接続部を接続させる途中）を示す断面模式図
【図１０】同透析液取出装置の採取口に接続手段を接続させた状態を示す断面模式図
【図１１】本発明の第２の実施形態に係る透析液取出装置（採取口から開閉手段を取り外した状態）を示す断面模式図
【図１２】同透析液取出装置（採取口に開閉手段を取り付けた状態）を示す断面模式図
【図１３】同透析液取出装置（採取口に接続手段を接続した状態）を示す断面模式図
【図１４】同透析液取出装置に適用される他の形態の接続手段を示す断面模式図
【図１５】同他の形態の接続手段を採取口に接続させた状態を示す断面模式図
【発明を実施するための形態】
【００２５】
以下、本発明の実施形態について図面を参照しながら具体的に説明する。
本実施形態に係る透析液取出装置は、血液浄化治療（血液透析治療）で使用される血液浄化装置に配設され、透析液を採取可能とされたものである。適用される血液浄化装置は、図１に示すように、ダイアライザ１（血液浄化器）に動脈側血液回路２及び静脈側血液回路３が接続された血液回路と、透析液導入ラインＬ１及び透析液排出ラインＬ２を有した透析装置本体Ｂとから主に構成されている。
【００２６】
ダイアライザ１は、血液を浄化するためのもので、血液回路を構成する動脈側血液回路２及び静脈側血液回路３とそれぞれ接続されるとともに、透析液導入ラインＬ１及び透析液排出ラインＬ２とそれぞれ接続されており、動脈側穿刺針ａから採取された患者の血液を血液回路にて体外循環させ、ダイアライザ１にて血液浄化及び除水した後、静脈側穿刺針ｂから患者に戻すようになっている。なお、図中符号５、６は、エアトラップチャンバを示している。
【００２７】
また、透析液導入ラインＬ１及び透析液排出ラインＬ２には、所定濃度に調製された透析液をダイアライザ１に供給し、当該ダイアライザ１から排出させる複式ポンプ７が接続されている。さらに、透析装置本体Ｂ内には、バイパスラインや電磁弁が任意位置に複数配設されており、複式ポンプ７をバイパスさせるバイパスラインには、除水ポンプ８が接続されている。
【００２８】
そして、透析装置本体Ｂ内の配管を消毒又は洗浄するには、透析液導入ラインＬ１及び透析液排出ラインＬ２の先端をダイアライザ１から取り外し、例えばカプラ等により当該先端同士を互いに接続して配管を短絡させた後、透析装置本体Ｂの外部（例えば透析液供給装置等）から消毒液（熱湯や消毒薬液）又は洗浄水（清浄水）を導入して、当該透析装置本体Ｂにおける配管内の液体（透析液等）と置換することにより行われる。なお、例えば透析液排出ラインＬ２から流路を分岐させ、その先端を消毒液等が収容されたタンクに挿入させることにより、当該タンク内から消毒液等を配管内に導入して置換させるようにしてもよい。
【００２９】
ここで、透析液導入ラインＬ１には、本発明の第１の実施形態に係る透析液取出装置が接続されている。本実施形態に係る透析液取出装置は、図２〜１０に示すように、透析液導入ラインＬ１（液体の流路）に接続されて当該液体（透析液）を流通させ得る導入口９ａ及び導出口９ｂが形成されるとともに、その流通する液体を採取可能な採取口１２が形成された透析液取出手段９と、該透析液取出手段９の採取口１２に対して脱着可能とされ、当該採取口１２を開閉し得る開閉手段としてのキャップ１０と、透析液取出手段９に形成された円筒状の外周壁部１３と、キャップ１０を取り外した状態の採取口１２と接続可能な接続手段１５とを具備したものである。
【００３０】
より具体的には、透析液取出手段９は、その導入口９ａ及び導出口９ｂのそれぞれに透析液導入ラインＬ１が接続され、内部に透析液を流通可能とされたもので、その流路（導入口９ａから導出口９ｂに向かって透析液が流れる流路）は、分岐部Ｐで略９０度折れ曲がってＬ字状に延設されているとともに、採取口１２は、導入口９ａに対して略同一直線上に位置するよう形成されている。
【００３１】
外周壁部１３は、採取口１２の外周を覆う円筒状の部位から成るものである。かかる外周壁部１３は、その外周面に、キャップ１０（開閉手段）のネジ部１０ａ（図３参照）と螺合し得るネジ部１３ａが形成されているとともに、内周面に、メネジ部１３ｂがそれぞれ形成されている。なお、外周壁部１３の内周面と採取口１２の外周面との間には、所定寸法のクリアランスが形成されており、当該クリアランスにて後述する排出路βが形成されることとなる。
【００３２】
さらに、本実施形態に係る外周壁部１３は、採取口１２の突端１２ａを覆って突出して成るものとされている。すなわち、外周壁部１３の突出寸法は、採取口１２の突出寸法より大きく設定されていることから、外周壁部１３にて採取口１２の突端１２ａを覆った状態とされているのである。これにより、キャップ１０が採取口１２から外された状態においても、当該採取口１２に人の指が触れてしまうのを回避させることができ、衛生管理をより確実に図ることができる。
【００３３】
開閉手段としてのキャップ１０は、その内周面に形成されたネジ部１０ａを外周壁部１３のネジ部１３ａに対して螺合させることにより、当該外周壁部１３に取り付け可能とされたものである。本実施形態に係るキャップ１０は、図３に示すように、外周壁部１３の先端１３ｃとの間でシールするシール手段１１を具備している。かかるシール手段１１は、取付部材Ｄの一面に取り付けられるとともに、スプリングＳ１によって当該取付部材Ｄと共に常時外周壁部１３の先端１３ｃ側（採取口１２側）に付勢されており、より確実なシールを図り得るようになっている。なお、本実施形態に係るシール手段１１は、外周壁部１３の先端１３ｃとの間でシールするものとされているが、これに代えて、或いはこれとともに、外周壁部１３の外周面との間でシールするものとしてもよい。
【００３４】
ここで、本実施形態に係る透析液取出手段９の採取口１２は、キャップ１０が取り付けられた状態で、導入口９ａから導入された液体を採取口１２内に案内する案内路αと、該案内路αで案内された液体を導出口９ｂ側へ排出させる排出路βとを画成するよう構成されている。すなわち、キャップ１０が外周壁部１３に螺合して取り付けられると、シール手段１１にて当該外周壁部１３の先端１３ｃがシールされて密閉空間が形成されるとともに、その密閉空間が採取口１２にて案内路αと排出路βとに画成されるのである。しかして、採取口１２の内部が案内路αとされるとともに、当該採取口１２の外周面と外周壁部１３の内周面との間が排出路βとされることとなる。
【００３５】
このように、本実施形態に係る採取口１２は、接続手段１５等が接続されて液体を採取させる機能を有するとともに、キャップ１０が取り付けられた状態においては、案内路αと排出路βとを画成する機能を兼ね備えているのである。なお、本実施形態においては、採取口１２が円筒状部材で構成されているが、案内路αと排出路βとを画成し得る筒状の部材であれば、他の形状（例えば断面が矩形形状のもの等）のものであってもよい。
【００３６】
一方、透析液取出手段９には、排出路βと分岐部Ｐ側の流路とを連結させるための連結路γが形成されている。これにより、導入口９ａから分岐部Ｐ及び案内路αを介して採取口１２の先端に向かって流れた液体は、排出路β及び連結路γを通って排出口９ｂから排出され、導入口９ａから分岐部Ｐを介して導出口９ｂに向かって流れる液体と合流して当該導出口９ｂから流出し得るようになっている。
【００３７】
さらに、本実施形態に係る透析液取出手段９は、導入口９ａから導入された液体のうち、案内路αに向かって流れる液体の圧力を、導出口９ｂに向かって流れる液体の圧力より高くする圧力差形成手段１４を具備している。かかる圧力差形成手段１４は、透析液取出手段９の分岐部Ｐ近傍に配設され、導入口９ａから採取口１２に向かって流れる液体の流通路１４ａを有して成るとともに、当該流通路１４ａは、流路の径が採取口１２側（図２中右側）に向かって次第に小さくなるテーパ面とされている。これにより、導入口９ａから採取口１２に向かって流れる液体の圧力を、導入口９ａから排出口９ｂに向かって流れる液体の圧力に対して相対的に高くすることができる。
【００３８】
また、本実施形態に係る圧力差形成手段１４と採取口１２とは、一体部品（例えば、一体成形部品）から成るものとされている。このように、圧力差形成手段１４と採取口１２とが一体部品から成るものとすれば、透析液取出手段９における部品点数を削減することができ、製造コストやメンテナンスコストを低減させることができる。なお、圧力差形成手段１４と採取口１２とを別個に形成し、それらを連結させて一体部品としてもよい。
【００３９】
接続手段１５は、図５に示すように、採取口１２から採取した液体を流通させるための接続ラインＬ３の先端部に取り付けられ、内周面１５ａ及び外周面１５ｂを有した略円筒状部材から成るものである。この接続手段１５における先端１５ｃ側（図５中左側）の内周面１５ａは、採取口１２の突端１２ａを嵌入させて当該採取口１２と接続可能な接続部１５ａａを成している。
【００４０】
また、接続手段１５の外周面１５ｂには、外周壁部１３の内周面と嵌合する嵌合部としてのシール部材１６（例えばＯリング等から成る部材）が形成されている。このシール部材１６は、接続手段１５を採取口１２に接続させる際、外周壁部１３の内周面と嵌合しつつ当該接続手段１５の外周面１５ｂと外周壁部１３の内周面との間をシールするものである。すなわち、シール部材１６は、その外径寸法Ｄ２が外周壁部１３の内径寸法Ｄ１に対して同一或いは若干大きく設定されており、外周壁部１３の内周面と嵌合することによりシール機能を発揮するものである。
【００４１】
しかして、図１０に示すように、接続手段１５を外周壁部１３内に挿通させて嵌合部としてのシール部材１６を嵌合させるとともに、接続部１５ａａを採取口１２に接続することにより、当該採取口１２に対して接続ラインＬ３が接続可能とされている。なお、シール部材１６に代えて、外周壁部１３の内周面と嵌合可能な幅寸法（径）の部位を接続手段１５の外周面１５ｂに形成するようにしてもよい。しかるに、嵌合部としてシール部材１６以外のものとした場合であっても、その外径寸法（最大径）Ｄ２は、外周壁部１３の内径寸法Ｄ１に対して略同一（厳密には嵌合のため若干大きい寸法）とされる。
【００４２】
ところで、本実施形態に係る接続ラインＬ３は、例えば動脈側血液回路２に接続されたエアトラップチャンバ５又は静脈側血液回路３に接続されたエアトラップチャンバ６に接続され、透析液導入ラインＬ１中の透析液を動脈側血液回路２又は静脈側血液回路３に供給し得るものとされている。これにより、透析液を使用してプライミング、補液又は返血等を行わせることができ、或いは当該透析液をオンラインＨＤＦやオンラインＨＦの治療のための置換液として利用することができる。
【００４３】
このように、接続手段１５の内周面１５ａにおける先端１５ｃから所定寸法内側に向かった範囲に亘る部位を採取口１２の外周面に嵌入させることにより、当該採取口１２に接続ラインＬ３が接続可能とされたので、接続手段１５の採取口１２に対する接続部１５ａａがその内周面１５ａ（接続手段１５の内部）となることから、当該接続部１５ａａに人の指が触れてしまうのを回避させることができ、衛生管理をより確実に図ることができる。
【００４４】
ここで、本実施形態に係る透析液取出装置においては、接続手段１５の外周壁部１３に対する挿通過程（接続作業過程）であって、当該接続手段１５の先端１５ｃが採取口１２の突端１２ａに達する前に、当該接続手段１５の採取口１２に対する相対位置（径方向の位置）及び姿勢（傾き）を矯正する矯正部（テーパ部１３ｄ、１３ｅ）が、外周壁部１３の内周面に形成されている。
【００４５】
矯正部は、外周壁部１３内における採取口１２の突端１２ａより開口縁側（図２中右側）に形成されたテーパ部１３ｄと、当該外周壁部１３の開口縁に形成されたテーパ部１３ｅとから構成されている。これらテーパ部１３ｄ及びテーパ部１３ｅは、外周壁部１３の内周面に形成されたテーパ面（面取り部）から成り、接続手段１５の外周壁部１３に対する挿通過程（接続作業過程）で、当該接続手段１５の先端１５ｃ及びシール部材１６がそれぞれ当接可能とされている。
【００４６】
すなわち、接続手段１５の外周壁部１３に対する挿通過程（接続作業過程）で、当該接続手段１５の採取口１２に対する相対位置及び姿勢がずれている場合、当該接続手段１５の先端１５ｃがテーパ部１３ｄに当接する（図７参照）とともに、シール部材１６がテーパ部１３ｅに当接（図８参照）し、接続手段１５の採取口１２に対する径方向の位置ずれ及び姿勢ずれを矯正し得るようになっている。なお、接続手段１５の外周壁部１３に対する挿通過程（接続作業過程）で当該接続手段１５の採取口１２に対する相対位置及び姿勢がずれていない場合、これらテーパ部１３ｄ及びテーパ部１３ｅに対する当接はなされない。
【００４７】
また、本実施形態に係る透析液取出装置においては、採取口１２の突端１２ａと外周壁部１３の先端１３ｃとの間の寸法Ｌａ（図４参照）が接続手段１５の先端１５ｃと当該接続手段１５の嵌合部としてのシール部材１６（最大径部）との間の寸法Ｌｂ（図５参照）に対して同一又は大きく設定（Ｌａ＝Ｌｂ又はＬａ＞Ｌｂなる寸法関係に設定）されている。これにより、接続手段１５の外周壁部１３に対する挿通過程において、当該接続手段１５の先端１５ｃが採取口１２の突端１２ａに達する前に、シール部材１６（嵌合部）による嵌合が開始されることとなる。
【００４８】
次に、本実施形態に係る接続手段１５の外周壁部１３に対する挿通過程（接続作業過程）における矯正部の作用について、図６〜１０を用いて詳しく説明する。
まず、接続手段１５の先端１５ｃを外周壁部１３の内部に挿入させる際、図６に示すように、当該接続手段１５の採取口１２に対する相対位置及び姿勢がずれている場合を想定する。この場合、接続手段１５を図中左側に移動させると、図７に示すように、接続手段１５の先端１５ｃが採取口１２の突端１２ａに達する前に、当該先端１５ｃがテーパ部１３ｄに当接することとなる。
【００４９】
そして、更に接続手段１５の挿通を続行させると、テーパ部１３ｄの勾配により接続手段１５の姿勢が変わり、図８に示すように、採取口１２の開口方向と接続手段１５の開口方向とが一致する方向に当該接続手段１５全体が移動して、接続手段１５の姿勢が矯正されることとなる。また、かかる状態において、接続手段１５の矯正が不十分である場合、嵌合部としてのシール部材１６がテーパ部１３ｅと当接することとなる。
【００５０】
この状態から更に接続手段１５の挿通を続行させると、テーパ部１３ｄ、１３ｅの勾配により、採取口１２に対する接続手段１５の径方向の位置ずれが矯正されることとなる。すなわち、接続手段１５は、外周壁部１３内の挿通過程において、矯正部を構成するテーパ部１３ｄ、１３ｅによって、採取口１２に対して芯出しがなされる如く矯正され、正規の状態（ずれがない状態）とされるのである。
【００５１】
その後、接続手段１５の採取口１２に対する矯正が行われた状態を維持しつつ更に挿通させれば、接続手段１５内に採取口１２の突端１２ａから所定寸法だけ基端側に向かった範囲に亘る部位が嵌り込み、接続部１５ａａの接続が開始されることとなる（図９）。そして、規定位置まで接続手段１５を挿通させれば、図１０に示すように、接続手段１５の接続部１５ａａと採取口１２の外周面とが密着して接続が完了する。これにより、接続前に接続手段１５の先端１５ｃの面（端面）が洗浄又は消毒されていない部位（例えば外周壁部１３の外周面等）に接触したとしても、その先端１５ｃが接続過程において採取口１２に接触してしまうのを防止することができる。
【００５２】
次に、本発明の第２の実施形態に係る透析液取出装置について説明する。
本実施形態に係る透析液取出装置は、第１の実施形態と同様、図１で示す如き血液浄化装置の透析液導入ラインＬ１に接続されたもので、図１１〜１３に示すように、透析液導入ラインＬ１（液体の流路）に接続されて当該液体（透析液）を流通させ得る導入口９ａ及び導出口９ｂが形成されるとともに、その流通する液体を採取可能な採取口１２が形成された透析液取出手段９と、該透析液取出手段９の採取口１２に対して脱着可能とされ、当該採取口１２を開閉し得る開閉手段としてのキャップ１０と、透析液取出手段９に形成された円筒状の外周壁部１３と、キャップ１０を取り外した状態の採取口１２と接続可能な接続手段１５とを具備したものである。なお、第１の実施形態と同様の構成部品には、同一の符号を付し、それらの詳細な説明を省略する。
【００５３】
圧力差形成手段１４及び採取口１２は、第１の実施形態と同様、一体部品（例えば、一体成形部品）から成るものとされているものの、第１の実施形態と異なり、透析液取出手段９内において移動可能とされている。また、圧力差形成手段１４におけるシール部材９ｃと対向した部位には、被シール部１４ｂが形成されているとともに、圧力差形成手段１４及び採取口１２は、スプリングＳ２により、シール部材９ｃに対して被シール部１４ｂが離間する方向に常時付勢されている。
【００５４】
そして、接続手段１５が採取口１２に接続される際（すなわち、接続手段１５の外周壁部１３に対する挿通過程（接続作業過程）で）、圧力差形成手段１４及び採取口１２がスプリングＳ２の付勢力に抗して移動し、シール部材９ｃに対して被シール部１４ｂが当接してシールすることにより、連結路γを遮蔽し得るようになっている。
【００５５】
しかして、接続手段１５が採取口１２に接続された状態において、排出路βを介して液体が外部に流れるのを遮断することとなる。このように、接続手段１５が採取口１２に接続された状態において、排出路βを介して液体が外部に流れるのを遮断するので、採取口１２から接続手段１５を介して液体を採取する際、排出路βから液体が外部に漏れてしまうのを確実に回避させることができ、採取した液体を接続ラインＬ３に対してより良好に流通させることができる。
【００５６】
ここで、第２の実施形態においても、第１の実施形態と同様、接続手段１５の外周壁部１３に対する挿通過程（接続作業過程）であって、当該接続手段１５の先端１５ｃが採取口１２の突端１２ａに達する前に、当該接続手段１５の採取口１２に対する相対位置（径方向の位置）及び姿勢（傾き）を矯正する矯正部（テーパ部１３ｄ、１３ｅ）が、外周壁部１３の内周面に形成されている。
【００５７】
第１の実施形態と同様、矯正部は、外周壁部１３内における採取口１２の突端１２ａより開口縁側（図１１中右側）に形成されたテーパ部１３ｄと、当該外周壁部１３の開口縁部に形成されたテーパ部１３ｅとから構成されている。これらテーパ部１３ｄ及びテーパ部１３ｅは、外周壁部１３の内周面に形成されたテーパ面（面取り部）から成り、接続手段１５の外周壁部１３に対する挿通過程（接続作業過程）で当該接続手段１５の先端１５ｃ及びシール部材１６がそれぞれ当接可能とされている。
【００５８】
すなわち、接続手段１５の外周壁部１３に対する挿通過程（接続作業過程）で、当該接続手段１５の採取口１２に対する相対位置及び姿勢がずれている場合、当該接続手段１５の先端１５ｃがテーパ部１３ｄに当接（図７参照）するとともに、シール部材１６がテーパ部１３ｅに当接（図８参照）し、接続手段１５の採取口１２に対する径方向の位置ずれ及び姿勢ずれを矯正し得るようになっている。なお、第１の実施形態と同様、接続手段１５の外周壁部１３に対する挿通過程（接続作業過程）で、当該接続手段１５の採取口１２に対する相対位置及び姿勢がずれていない場合、これらテーパ部１３ｄ及びテーパ部１３ｅに対する当接はなされない。
【００５９】
また、本実施形態に係る透析液取出装置においては、第１の実施形態と同様、採取口１２の突端１２ａと外周壁部１３の先端１３ｃとの間の寸法Ｌａ（図４参照）が接続手段１５の先端１５ｃと当該接続手段１５の嵌合部としてのシール部材１６（最大径部）との間の寸法Ｌｂ（図５参照）に対して同一又は大きく設定（Ｌａ＝Ｌｂ又はＬａ＞Ｌｂなる寸法関係に設定）されている。これにより、接続手段１５の外周壁部１３に対する挿通過程において、当該接続手段１５の先端１５ｃが採取口１２の突端１２ａに達する前にシール部材１６（嵌合部）による嵌合が開始されることとなる。
【００６０】
ところで、本実施形態においては、接続手段１５が採取口１２に接続された状態において、排出路βを介して液体が外部に流れるのを遮断することができるので、例えば図１４、１５に示すような接続手段１７を用いるようにしてもよい。かかる接続手段１７は、その先端１７ｃ側における外周面１７ｂに外周壁部１３のメネジ部１３ｂと螺合し得る凸部から成るオネジ部１７ｅが形成されているとともに、外周壁部１３の内周面と嵌合し得る嵌合部１７ｄが突出形成されている。
【００６１】
かかる嵌合部１７ｄは、接続手段１７の先端１７ｃ側における大径部から成り、その外径寸法Ｄ３（最大径部）が外周壁部１３の内径寸法Ｄ１（図１１参照）に対して同一或いは若干大きく設定されており、外周壁部１３に嵌合し得るものである。この嵌合部１７ｄにおいて、第１の実施形態のシール部材１６の如きシール機能を発揮するもの、或いはシール機能に乏しいものの何れであってもよい。
【００６２】
そして、接続手段１７の外周壁部１３に対する挿通過程（接続作業過程）で、当該接続手段１７の採取口１２に対する相対位置及び姿勢がずれている場合、当該接続手段１７の先端１７ｃがテーパ部１３ｄに当接するとともに、嵌合部１７ｄがテーパ部１３ｅに当接し、接続手段１７の採取口１２に対する径方向の位置ずれ及び姿勢ずれを矯正し得るようになっている。なお、図１５に示すように、接続手段１７を採取口１２に接続させた状態において、オネジ部１７ｅがメネジ部１３ｂと螺合して係止されるとともに、接続部１７ａａが採取口１２の外周面と密着することとなる。
【００６３】
また、本実施形態に係る透析液取出装置においては、第１の実施形態と同様、採取口１２の突端１２ａと外周壁部１３の先端１３ｃとの間の寸法Ｌａ（図１１参照）が接続手段１７の先端１７ｃと当該接続手段１７の嵌合部１７ｄ（最大径部）との間の寸法Ｌｃ（図１４参照）に対して同一又は大きく設定（Ｌａ＝Ｌｃ又はＬａ＞Ｌｃなる寸法関係に設定）されている。これにより、接続手段１７の外周壁部１３に対する挿通過程において、当該接続手段１７の先端１７ｃが採取口１２の突端１２ａに達する前に、嵌合部１７ｄによる嵌合が開始されることとなる。
【００６４】
上記第１、２の実施形態によれば、接続手段（１５、１７）の外周壁部１３に対する挿通過程であって、当該接続手段（１５、１７）の先端（１５ｃ、１７ｃ）が採取口１２の突端１２ａに達する前に、当該接続手段（１５、１７）の採取口１２に対する相対位置及び姿勢を矯正する矯正部（テーパ部１３ｄ、１３ｅ）が外周壁部１３の内周面に形成されたので、採取口１２に対する接続手段（１５、１７）の接続時、採取口１２の清浄性を確実に保持することができる。
【００６５】
また、採取口１２の突端１２ａと外周壁部１３の先端１３ｃとの間の寸法Ｌａが、接続手段（１５、１７）の先端（１５ｃ、１７ｃ）と当該接続手段（１５、１７）の嵌合部（シール部材１６、嵌合部１７ｄ）との間の寸法（Ｌｂ、Ｌｃ）に対して同一又は大きく設定されたので、接続手段（１５、１７）の先端（１５ｃ、１７ｃ）が採取口１２の突端１２ａに達する前に、矯正部（テーパ部１３ｄ、１３ｅ）によって確実に当該接続手段（１５、１７）の採取口１２に対する相対位置及び姿勢を矯正することができ、採取口１２に対する接続手段（１５、１７）の接続時、採取口１２の清浄性をより確実に保持することができる。
【００６６】
さらに、矯正部は、外周壁部１３の内周面に形成されたテーパ部１３ｄ、１３ｅから成るので、円滑かつ確実に、接続手段（１５、１７）の先端（１５ｃ、１７ｃ）が採取口１２の突端１２ａに達する前に、当該接続手段（１５、１７）の採取口１２に対する相対位置及び姿勢を矯正することができる。特に、嵌合部について、接続手段１５の外周面１５ｂと外周壁部１３の内周面との間をシールするシール部材１６から成るものとすれば、接続部１５ａａによる採取口１２に対する接続が良好に行われていない場合であっても、シール部材１６により液体が外部に漏れてしまうのを防止することができる。
【００６７】
またさらに、採取口１２は、キャップ１０（開閉手段）が取り付けられた状態で、導入口９ａから導入された液体を採取口１２の突端１２ａ側に案内する案内路αと、該案内路αで案内された液体を導出口９ｂ側へ排出させる排出路βとを画成するので、案内路α及び排出路βを介して洗浄水又は消毒液を流通させることができ、採取口１２内部の洗浄及び消毒を確実に行わせることができる。さらに、採取口１２が液体を採取させる機能に加えて、案内路αと排出路βとを画成する機能を兼ね備えるため、別個の画成手段等を不要として構成を簡略化させることができる。
【００６８】
また、キャップ１０（開閉手段）は、外周壁部１３の外周面又は突端面との間でシールするシール手段１１を具備したので、キャップ１０を採取口１２に取り付けた状態で、案内路αと排出路βとの画成をより確実に行わせることができるとともに、洗浄水又は消毒液の流通をより良好に行わせることができる。さらに、本実施形態においては、血液浄化装置に適用されたので、採取口１２に対する接続手段（１５、１７）の接続時、採取口１２の清浄性を確実に保持することができる血液浄化装置を提供することができる。またさらに、採取口１２に対する接続手段（１５、１７）の接続時、採取口１２の清浄性を確実に保持することができる接続ラインＬ３を提供することができる。
【００６９】
なお、採取口１２の内部が案内路αとされるとともに、当該採取口１２の外周面と外周壁部１３の内周面との間が排出路βとされたので、案内路α及び排出路βを介して洗浄水又は消毒液をより円滑且つ良好に流通させることができる。また、透析液取出手段９は、導入口９ａから導入された液体のうち、案内路αに向かって流れる液体の圧力を、導出口９ｂに向かって流れる液体の圧力より高くする圧力差形成手段１４を具備したので、当該圧力差形成手段１４で生じた圧力差によって、案内路α及び排出路βに対してより確実に洗浄水又は消毒液を流通させることができる。
【００７０】
特に、圧力差形成手段１４は、導入口９ａから採取口１２に向かって流れる液体の流通路１４ａを有して成るとともに、当該流通路１４ａは、流路の径が採取口１２側に向かって次第に小さくなるテーパ面とされたので、導入口９ａから案内路αに向かって流れる液体の圧力を、導入口９ａから排出口９ｂに向かって流れる液体の圧力に対して相対的に高くすることができ、当該案内路α及び排出路βに対して確実な洗浄水又は消毒液の流通を図ることができる。
【００７１】
以上、本実施形態について説明したが、本発明はこれらに限定されず、例えば採取口が案内路αと排出路βとを画成するものに限らず、採取口の外周面と外周壁部の内周面との間に流路が形成されず、単に突出形成されて突端の開口に接続手段を接続させて液体を採取可能なものであってもよい。また、矯正部は、本実施形態の如くテーパ部１３ｄ、１３ｅに限定されるものではなく、接続手段の外周壁部に対する挿通過程であって、当該接続手段の先端が採取口の突端に達する前に、当該接続手段の採取口に対する相対位置及び姿勢を矯正するものであれば、他の形態のものであってもよい。さらに、矯正部について、テーパ部１３ｄ又はテーパ部１３ｅの何れか一方のみ形成されていてもよい。
【００７２】
なお、キャップ等の開閉手段については、他の形態のものであってもよく、さらには、圧力差形成手段を具備しないものであってもよい。さらに、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。またさらに、本実施形態においては、何れも透析装置本体の透析液導入ラインＬ１に配設されているが、当該透析装置本体内の他の流路に配設したものとしてもよい。
【産業上の利用可能性】
【００７３】
接続手段の外周壁部に対する挿通過程であって、当該接続手段の先端が採取口の突端に達する前に、当該接続手段の採取口に対する相対位置及び姿勢を矯正する矯正部が外周壁部の内周面に形成された透析液取出装置であれば、外観形状が異なるもの、或いは他の機能が付加されたもの等にも適用することができる。
【符号の説明】
【００７４】
１…ダイアライザ（血液浄化器）
２…動脈側血液回路
３…静脈側血液回路
４…血液ポンプ
５…動脈側エアトラップチャンバ
６…静脈側エアトラップチャンバ
７…複式ポンプ
８…除水ポンプ
９…透析液取出手段
１０…キャップ（開閉手段）
１１…シール手段
１２…採取口
１３…外周壁部
１３ｄ、１３ｅ…テーパ部（矯正部）
１４…圧力差形成手段
１５…接続手段
１６…シール部材（嵌合部）
１７…接続手段
１７ｄ…嵌合部
【図１】
0005479520.tif 000002
【図２】
0005479520.tif 000003
【図３】
0005479520.tif 000004
【図４】
0005479520.tif 000005
【図５】
0005479520.tif 000006
【図６】
0005479520.tif 000007
【図７】
0005479520.tif 000008
【図８】
0005479520.tif 000009
【図９】
0005479520.tif 000010
【図１０】
0005479520.tif 000011
【図１１】
0005479520.tif 000012
【図１２】
0005479520.tif 000013
【図１３】
0005479520.tif 000014
【図１４】
0005479520.tif 000015
【図１５】
0005479520.tif 000016